(57)【要約】【課題】吸引機構の動作による振動や騒音を低減した記録装置を提供する。【解決手段】プリンター１は、記録ヘッド１０に対向して配置され、複数の吸引孔１６を有するとともに、用紙Ｐを支持する支持面１５を備える媒体支持部１４と、前記複数の吸引孔１６に吸引力を発生させる吸引機構部２０と、少なくとも吸引機構部２０の動作と用紙Ｐの搬送に係わる動作とを制御する制御部１８と、を備え、制御部１８は、用紙Ｐへの記録後に、用紙Ｐの搬送速度を、記録面の乾燥時間をとる速度にする第１速度制御を実行可能であり、制御部１８は、前記第１速度制御を実行する場合に、用紙Ｐが支持面１５によって支持されていない非支持状態での前記吸引力を、用紙Ｐの少なくとも一部が支持面１５によって支持されている支持状態での前記吸引力より弱くする。ことを特徴とする【選択図】図１
2019025738.tif 000002
【特許請求の範囲】
【請求項１】
搬送される媒体に液体を噴射する記録ヘッドと、
前記記録ヘッドに対向して配置され、複数の吸引孔を有するとともに、前記媒体を支持する支持面を備える媒体支持部と、
前記複数の吸引孔に吸引力を発生させる吸引機構部と、
少なくとも前記吸引機構部の動作と前記媒体の搬送に係わる動作とを制御する制御部と、を備え、
前記制御部は、前記媒体への記録後に、前記媒体の搬送速度を、記録面の乾燥時間をとる速度にする第１速度制御を実行可能であり、
前記制御部は、前記第１速度制御を実行する場合に、前記媒体が前記支持面によって支持されていない非支持状態での前記吸引力を、前記媒体の少なくとも一部が前記支持面によって支持されている支持状態での前記吸引力より弱くする、
ことを特徴とする記録装置。
【請求項２】
請求項１に記載の記録装置において、
正転及び逆転の双方に回転可能に構成され、前記記録ヘッドに対して前記正転時の媒体搬送方向上流側に配置される搬送ローラー対と、
逆転する前記搬送ローラー対により前記媒体搬送方向とは逆方向に搬送される前記媒体を受け入れて、前記媒体を反転させる反転部と、を備え、
前記制御部は、前記媒体の第１面への記録後に前記第１面に対し反対側の第２面に記録を行う両面記録を行う場合に、前記第１速度制御を実行する、
ことを特徴とする記録装置。
【請求項３】
請求項２に記載の記録装置において、
前記搬送ローラー対の回転軸の軸線方向から見て、前記搬送ローラー対のニップ点における接線は、前記媒体支持部の前記支持面と交差する、
ことを特徴とする記録装置。
【請求項４】
請求項３に記載の記録装置において、
前記記録ヘッドに対して、前記搬送ローラー対の正転時の媒体搬送方向下流側に配置される排出ローラー対を備え、
前記排出ローラー対の回転軸の軸線方向から見て、前記排出ローラー対のニップ点における接線は、前記媒体支持部の前記支持面と交差する、
ことを特徴とする記録装置。
【請求項５】
請求項４に記載の記録装置において、前記支持状態は、前記媒体が前記搬送ローラー対及び前記排出ローラー対のいずれか一方によって挟持されている第１支持状態と、
前記媒体が前記搬送ローラー対及び前記排出ローラー対の双方によって挟持されている第２支持状態と、を含み、
前記制御部は、前記第１支持状態での前記吸引力を、前記第２支持状態での前記吸引力より強くする、
ことを特徴とする記録装置。
【請求項６】
請求項４に記載の記録装置において、前記支持状態は、前記媒体が前記搬送ローラー対及び前記排出ローラー対のいずれか一方によって挟持されている第１支持状態と、
前記媒体が前記搬送ローラー対及び前記排出ローラー対の双方によって挟持されている第２支持状態と、を含み、
前記制御部は、前記第２支持状態での前記吸引力について、前記第１速度制御を実行する場合における前記吸引力を、前記媒体への記録時における前記吸引力よりも弱くする、
ことを特徴とする記録装置。
【請求項７】
請求項１から請求項６のいずれか一項に記載の記録装置において、
前記制御部は、前記媒体に対する前記記録ヘッドからの前記液体の噴射量が所定の閾値未満である場合に、
前記支持状態での前記吸引力について、前記第１速度制御を実行する場合における前記吸引力を、前記媒体への記録時における前記吸引力よりも弱くする、
ことを特徴とする記録装置。
【請求項８】
請求項１から請求項７のいずれか一項に記載の記録装置において、
前記制御部は、前記第１速度制御を実行する場合に、前記媒体が前記非支持状態である場合に前記吸引機構部による吸引を停止する、
ことを特徴とする記録装置。
【請求項９】
搬送される媒体に液体を噴射する記録ヘッドと、
前記記録ヘッドに対向して配置され、複数の吸引孔を有するとともに、前記媒体を支持する支持面を備える媒体支持部と、
前記複数の吸引孔に吸引力を発生させる吸引機構部と、
少なくとも前記吸引機構部の動作と前記媒体の搬送に係わる動作とを制御する制御部と、
正転及び逆転の双方に回転可能に構成され、前記記録ヘッドに対して前記正転時の媒体搬送方向上流側に配置される搬送ローラー対と、
逆転する前記搬送ローラー対により前記媒体搬送方向とは逆方向に搬送される前記媒体を受け入れて、前記媒体を反転させる反転部と、を備え、
前記制御部は、前記記録ヘッドによる記録領域側から前記媒体を前記反転部に送るバックフィード動作を実行可能であり、
前記媒体の第１面への記録後に前記第１面に対し反対側の第２面に記録を行う両面記録のために前記バックフィード動作を実行する場合に、前記媒体の前記第１面に対する前記記録ヘッドからの前記液体の噴射量が所定の閾値以上である場合、前記吸引力を、前記媒体への記録時における前記吸引力以上にして前記搬送ローラー対を逆転し、前記媒体が前記搬送ローラー対による挟持から外れたら、前記吸引力を前記媒体への記録時における前記吸引力よりも弱くする、
ことを特徴とする記録装置。
【発明の詳細な説明】
【技術分野】
【０００１】
本発明は、搬送される媒体に記録を行う記録装置に関する。
【背景技術】
【０００２】
記録ヘッドから液体としてのインクを媒体に噴射して記録を行う記録装置としてのインクジェットプリンター（以下、単にプリンターと言う場合がある）において、前記記録ヘッドによる記録領域における媒体のカールや浮き上がりを抑制するため、前記記録ヘッドと対向する位置に設けられる媒体支持部に、前記媒体を負圧により吸引して前記媒体支持部の支持面に吸着する吸引機構が設けられるものがある（例えば、特許文献１、特許文献２）。
【先行技術文献】
【特許文献】
【０００３】
【特許文献１】特開２００９−２３１７５号公報
【特許文献２】特開２０１０−７０３３５号公報
【発明の概要】
【発明が解決しようとする課題】
【０００４】
ところで、前記プリンターにおいて、媒体の第１面とその反対面である第２面の双方に記録を行う両面記録を実行する場合、媒体の前記第１面に対して記録を行い、記録後の用紙をすぐに反転させると、記録面が乾燥しておらず、搬送ローラーによって記録面が擦れて記録画像がにじむ等により画像品質が低下したり、前記搬送ローラーにインクが付着して、後続の媒体を汚す等の問題がある。
【０００５】
このため、前記プリンターにおいて、例えば両面記録を行う場合に、記録が実行された第１面（記録面）の液体が乾燥するまで待機させる待機時間（乾燥時間）が設定されるようになっており、待機時間が経過して前記第１面が十分乾燥した後に、第２面を記録ヘッド側に向けて搬送されるように構成される場合がある。
【０００６】
ここで、前記吸引機構を動作させると、負圧を発生させるためのモーター等の動作による振動や音が発生する。例えば、前記搬送ローラー等の搬送手段によって媒体を搬送したり、前記記録ヘッドによる記録を実行している間は、前記搬送手段の動作や前記記録ヘッドの動作による振動や音も発生しているため、前記吸引機構由来の振動や音は気にならない。しかし、前記媒体の記録面の乾燥のための待機時間中は、前記搬送手段や前記記録ヘッドの動作が停止しているため、前記吸引機構の動作による振動や音をユーザーが不快に感じる場合がある。  
また、前記吸引機構は、動作させることにより消費電力が増加してしまう。
【０００７】
本発明はこの様な状況に鑑みてなされたものであり、その目的は、前記吸引機構の動作による振動や騒音を低減した記録装置を提供することにある。
【課題を解決するための手段】
【０００８】
上記課題を解決する為の、本発明の第１の態様に係る記録装置は、搬送される媒体に液体を噴射する記録ヘッドと、前記記録ヘッドに対向して配置され、複数の吸引孔を有するとともに、前記媒体を支持する支持面を備える媒体支持部と、前記複数の吸引孔に吸引力を発生させる吸引機構部と、少なくとも前記吸引機構部の動作と前記媒体の搬送に係わる動作とを制御する制御部と、を備え、前記制御部は、前記媒体への記録後に、前記媒体の搬送速度を、記録面の乾燥時間をとる速度にする第１速度制御を実行可能であり、前記制御部は、前記第１速度制御を実行する場合に、前記媒体が前記支持面によって支持されていない非支持状態での前記吸引力を、前記媒体の少なくとも一部が前記支持面によって支持されている支持状態での前記吸引力より弱くする、ことを特徴とする。
【０００９】
前記媒体の搬送速度を「記録面の乾燥時間をとる速度」にするとは、次の動作（例えば、記録装置の排出部からの排出や、前記記録面の反対面への記録）を行うまでの時間を長くとって乾燥させるため、通常の搬送速度（例えば記録時と等速）よりも遅い速度（低速）にすることであり、搬送速度をゼロにする、すなわち、媒体の移動を停止させる場合を含むものとする。  
また、「前記吸引機構部による吸引力が弱い」とは、吸引力がゼロ、すなわち、前記吸引機構部が停止している場合を含むものとする。
【００１０】
本態様によれば、前記制御部は、前記媒体への記録後に、前記媒体の搬送速度を、記録面の乾燥時間をとる速度にする第１速度制御を実行可能であり、前記制御部は、前記第１速度制御を実行する場合に、前記媒体が前記支持面によって支持されていない非支持状態での前記吸引力を、前記媒体の少なくとも一部が前記支持面によって支持されている支持状態での前記吸引力より弱くするので、前記媒体の記録面の乾燥のための待機中における、前記吸引機構部の動作由来の振動や騒音を抑制することができる。加えて、前記吸引機構部を動作させることによる消費電力を低減することができる。
【００１１】
記録後の前記媒体は、記録面を外側、非記録面を内側にして湾曲する場合があるが、前記第１速度制御を実行する場合に、前記媒体の少なくとも一部が前記媒体支持部の前記支持面によって支持されている支持状態である場合には、より強い吸引力により媒体を吸引し、前記媒体が前記支持面から浮き上がることを抑制することができる。以って、前記媒体が前記支持面から浮き上がることにより生じるヘッド擦れや、紙ジャムの発生の虞を低減できる。
【００１２】
本発明の第２の態様は、第１の態様において、正転及び逆転の双方に回転可能に構成され、前記記録ヘッドに対して前記正転時の媒体搬送方向上流側に配置される搬送ローラー対と、逆転する前記搬送ローラー対により前記媒体搬送方向とは逆方向に搬送される前記媒体を受け入れて、前記媒体を反転させる反転部と、を備え、前記制御部は、前記媒体の第１面への記録後に前記第１面に対し反対側の第２面に記録を行う両面記録を行う場合に、前記第１速度制御を実行する、ことを特徴とする。  
本態様によれば、両面記録を行う場合に、第１の態様と同様の作用効果が得られる。
【００１３】
本発明の第３の態様は、第２の態様において、前記搬送ローラー対の回転軸の軸線方向から見て、前記搬送ローラー対のニップ点における接線は、前記媒体支持部の前記支持面と交差する、ことを特徴とする。
【００１４】
本態様によれば、前記搬送ローラー対の回転軸の軸線方向から見て、前記搬送ローラー対のニップ点における接線は、前記媒体支持部の前記支持面と交差するので、前記搬送ローラー対が、前記媒体を前記媒体支持部の前記支持面に押し付けつつ搬送する構成とすることができる。以って、前記支持面上を搬送される前記媒体の浮き上がりを抑制することができる。  
特に、前記媒体の第１面への記録後、当該媒体は、前記第１面が外側、第２面側が内側となるようにカールする場合がある。前記搬送ローラー対が、前記媒体を前記媒体支持部の前記支持面に押し付けつつ搬送する構成であることにより、前記搬送ローラー対によって搬送される間、前記媒体の前記カールを矯正するような癖付け（デカール）を行うことができる。
【００１５】
本発明の第４の態様は、第３の態様において、前記記録ヘッドに対して、前記搬送ローラー対の正転時の媒体搬送方向下流側に配置される排出ローラー対を備え、前記排出ローラー対の回転軸の軸線方向から見て、前記排出ローラー対のニップ点における接線は、前記媒体支持部の前記支持面と交差する、ことを特徴とする。
【００１６】
本態様によれば、前記排出ローラー対の回転軸の軸線方向から見て、前記排出ローラー対のニップ点における接線は、前記媒体支持部の前記支持面と交差するので、前記排出ローラー対が、前記媒体を前記媒体支持部の前記支持面に押し付けつつ搬送する構成とすることができる。以って、前記支持面上を搬送される前記媒体の浮き上がりを抑制することができる。  
また、前記排出ローラー対によって搬送される間、前記第１面が外側、第２面側が内側となるようにカールした媒体を矯正するような癖付け（デカール）を行うことができる。
【００１７】
本発明の第５の態様は、第４の態様において、前記支持状態は、前記媒体が前記搬送ローラー対及び前記排出ローラー対のいずれか一方によって挟持されている第１支持状態と、前記媒体が前記搬送ローラー対及び前記排出ローラー対の双方によって挟持されている第２支持状態と、を含み、前記制御部は、前記第１支持状態での前記吸引力を、前記第２支持状態での前記吸引力より強くする、ことを特徴とする。
【００１８】
前記媒体が前記搬送ローラー対または前記排出ローラー対のいずれか一方によって挟持されている第１支持状態である場合、前記媒体の一方側の端部が前記支持面上において自由端となり、浮き上がり易い。  
本態様によれば、前記制御部は、前記第１支持状態での前記吸引力を、前記第２支持状態での前記吸引力より強くするので、前記媒体の前記支持面上における浮き上りをより確実に抑制できる。
【００１９】
本発明の第６の態様は、第４の態様において、前記支持状態は、前記媒体が前記搬送ローラー対及び前記排出ローラー対のいずれか一方によって挟持されている第１支持状態と、前記媒体が前記搬送ローラー対及び前記排出ローラー対の双方によって挟持されている第２支持状態と、を含み、前記制御部は、前記第２支持状態での前記吸引力について、前記第１速度制御を実行する場合における前記吸引力を、前記媒体への記録時における前記吸引力よりも弱くする、ことを特徴とする。
【００２０】
本態様によれば、前記制御部は、前記第２支持状態での前記吸引力について、前記第１速度制御を実行する場合における前記吸引力を、前記媒体への記録時における前記吸引力よりも弱くするので、前記媒体の記録面の乾燥のための待機中における、前記吸引機構部の動作由来の振動や騒音を抑制することができる。また、前記吸引機構部を動作させることによる消費電力を低減することができる。
【００２１】
本発明の第７の態様は、第１の態様から第６の態様のいずれか一つにおいて、前記制御部は、前記媒体に対する前記記録ヘッドからの前記液体の噴射量が所定の閾値未満である場合に、前記支持状態での前記吸引力について、前記第１速度制御を実行する場合における前記吸引力を、前記媒体への記録時における前記吸引力よりも弱くする、ことを特徴とする。
【００２２】
前記媒体に対する前記記録ヘッドからの前記液体の噴射量が所定の閾値未満である場合、前記媒体に液体が吸収されることにより生じる前記媒体のカールは少なくなる。  
本態様によれば、前記媒体に対する前記記録ヘッドからの前記液体の噴射量が所定の閾値未満であり、記録後の媒体のカールが少ない場合に、前記支持状態での前記吸引力について、前記第１速度制御を実行する場合における前記吸引力を、前記媒体への記録時における前記吸引力よりも弱くするので、前記第１速度制御を実行する場合における前記吸引機構部の動作由来の振動や騒音を抑制することができる。また、前記吸引機構部を動作させることによる消費電力を低減することができる。
【００２３】
本発明の第８の態様は、第１の態様から第７の態様のいずれか一つにおいて、前記制御部は、前記第１速度制御を実行する場合に、前記媒体が前記非支持状態である場合に前記吸引機構部による吸引を停止する、ことを特徴とする。  
本態様によれば、より効果的に振動や騒音を抑制し、消費電力の低減を図ることができる。
【００２４】
本発明の第７の態様に係る記録装置は、搬送される媒体に液体を噴射する記録ヘッドと、前記記録ヘッドに対向して配置され、複数の吸引孔を有するとともに、前記媒体を支持する支持面を備える媒体支持部と、前記複数の吸引孔に吸引力を発生させる吸引機構部と、少なくとも前記吸引機構部の動作と前記媒体の搬送に係わる動作とを制御する制御部と、正転及び逆転の双方に回転可能に構成され、前記記録ヘッドに対して前記正転時の媒体搬送方向上流側に配置される搬送ローラー対と、逆転する前記搬送ローラー対により前記媒体搬送方向とは逆方向に搬送される前記媒体を受け入れて、前記媒体を反転させる反転部と、を備え、前記制御部は、前記記録ヘッドによる記録領域側から前記媒体を前記反転部に送るバックフィード動作を実行可能であり、前記媒体の第１面への記録後に前記第１面に対し反対側の第２面に記録を行う両面記録のために前記バックフィード動作を実行する場合に、前記媒体の前記第１面に対する前記記録ヘッドからの前記液体の噴射量が所定の閾値以上である場合、前記吸引力を、前記媒体への記録時における前記吸引力以上にして前記搬送ローラー対を逆転し、前記媒体が前記搬送ローラー対による挟持から外れたら、前記吸引力を前記媒体への記録時における前記吸引力よりも弱くする、ことを特徴とする。
【００２５】
本態様によれば、両面記録のために前記バックフィード動作を実行する場合に、前記媒体の前記第１面に対する前記記録ヘッドからの前記液体の噴射量が所定の閾値以上である場合、前記吸引力を、前記媒体への記録時における前記吸引力以上にして前記搬送ローラー対を逆転させるので、前記吸引機構部による強い吸引力より効果的に媒体のカールを抑制しつつ媒体のバックフィードを行うことができる。  
また、前記媒体が前記搬送ローラー対による挟持から外れたら、前記吸引力を前記媒体への記録時における前記吸引力よりも弱くするので、前記媒体が前記搬送ローラー対による挟持から外れた後、前記吸引機構部の動作由来の振動や騒音を抑制することができる。また、前記吸引機構部を動作させることによる消費電力を低減することができる。
【図面の簡単な説明】
【００２６】
【図１】本発明に係るプリンターの概略構成図。
【図２】図１の要部拡大図。
【図３】媒体支持部の平面図。
【図４】制御部が行う制御内容を示すフローチャート。
【図５】用紙への記録を行う際の用紙搬送状態を示す図。
【図６】バックフィード動作を行う際の用紙搬送状態を示す図。
【図７】第１速度制御を実行する場合の吸引機構部の吸引力制御の内容を示すフローチャート。
【発明を実施するための形態】
【００２７】
［第１実施形態］
まず、本発明の一実施形態に係る記録装置の概略について説明する。記録装置の一例として、インクジェットプリンター１（以下、単にプリンター１という）を例に挙げる。  
図１は、本発明に係るプリンターの概略構成図である。図２は、図１の要部拡大図である。図３は、媒体支持部の平面図である。図４は、制御部が行う制御内容を示すフローチャートである。図５は、用紙への記録を行う際の用紙搬送状態を示す図である。図６は、バックフィード動作を行う際の用紙搬送状態を示す図である。図７は、第１速度制御を実行する場合の吸引機構部の吸引力制御の内容を示すフローチャートである。
【００２８】
尚、各図において示すＸ−Ｙ−Ｚ座標系は、Ｘ方向が記録ヘッドの走査方向であり、記録が行われる媒体の幅方向である。Ｙ方向が装置奥行き方向であり、媒体の長さ方向である。Ｚ方向は重力方向であり、装置高さ方向である。また、＋Ｙ方向側を装置前面側とし、−Ｙ方向側を装置背面側とする。また、装置前面側から見て左側を＋Ｘ方向、右側を−Ｘ方向とする。装置前面を左側に向けて装置側面側から見た図である図１においては、紙面を正面視して奥側が＋Ｘ方向、手前側が−Ｘ方向である。また、＋Ｚ方向を装置上方（上部、上面等を含む）とし、−Ｚ方向側を装置下方（下部、下面等を含む）とする。  
また本明細書において、プリンター１において用紙が搬送されていく搬送方向を「下流」といい、これと反対の方向を「上流」という。
【００２９】
■■■プリンターの概要とプリンターにおける用紙搬送経路■■■
プリンター１（図１）は、装置外観を構成する筐体２を備えて構成され、筐体２の内部に「媒体」としての用紙に記録を行う記録ヘッド１０を含む各種構成部を備えている。  
プリンター１において記録が行われる用紙としては、一例として普通紙や厚紙、写真用紙等が挙げられる。  
プリンター１は、記録機能だけでなく、例えば、原稿の読み取り機能、すなわち、スキャナー部（図示省略）を備える複合機として構成することもできる。前記スキャナー部は、一例として、筐体２の上部に設けることができる。
【００３０】
続いて、図１を参照して、プリンター１における用紙搬送経路について説明する。尚、図１において、破線Ｓが後述する用紙トレイ３をからの用紙搬送経路を示している。  
プリンター１は、底部に複数の用紙Ｐを収容する用紙トレイ３を備え、用紙トレイ３から用紙Ｐが１枚ずつ給送される。
【００３１】
用紙Ｐは、用紙トレイ３から給送ローラー４（ピックアップローラーとも言う）により一旦装置背面側（−Ｙ方向）に送られる。給送ローラー４によって複数枚の用紙がピックアップされた場合には分離ローラー対５によって一枚に分離され、第１中間ローラー６に向けて搬送される。用紙は第１中間ローラー６によって湾曲されて装置前面側（＋Ｙ方向）に送られ、更に第２中間ローラー７によって搬送ローラー対１１に向けて送られる。  
尚、図１において符号８ａ、８ｂは、第１中間ローラー６の回転に従動回転する従動ローラーである。符号９a、９ｂは、第２中間ローラー７の回転に従動回転する従動ローラーである。
【００３２】
第２中間ローラー７の下流側には搬送ローラー対１１が設けられている。搬送ローラー対１１は、駆動源１９によって駆動されている。駆動源１９の動作は後述する制御部１８によって制御されている。  
また、搬送ローラー対１１は、正転及び逆転の双方に回転可能に構成されている。尚、以下において、搬送ローラー対１１が用紙を＋Ｙ方向に搬送するときの回転方向（図１の紙面を正面視して反時計回り）を正転といい、用紙を−Ｙ方向に搬送するときの回転方向（図１の紙面を正面視して時計回り）を逆転という。  
言い換えると、搬送ローラー対１１は、記録ヘッド１０に対して前記正転時の媒体搬送方向上流側に配置されている。  
用紙Ｐは正転する搬送ローラー対１１によって記録ヘッド１０の下へと送られる。
【００３３】
記録ヘッド１０は、媒体搬送方向（Ｙ軸方向）と交差する幅方向（Ｘ軸方向）に移動可能に構成されるキャリッジ１３に保持されており、記録ヘッド１０による記録領域Ｋに送られる用紙に対して「液体」としてのインクを噴射することにより記録が行われるように構成されている。記録ヘッド１０へのインクの供給は、例えばキャリッジ１３に搭載されるインクカートリッジ（図示省略）から行う場合の他、筐体２の内部または外部に設けられるインクタンク（図示省略）からチューブを介して行うことができる。
【００３４】
記録ヘッド１０の下方、すなわち記録ヘッド１０に対向する位置には、用紙を支持する支持面１５を備える媒体支持部１４が設けられている。媒体支持部１４は、支持面１５に複数の吸引孔１６を有している。吸引孔１６は、吸引機構部２０に連通しており、吸引機構部２０を動作させることにより複数の吸引孔１６に吸引力を発生させるように構成されている。複数の吸引孔１６から吸引されることにより、用紙Ｐは媒体支持部１４の支持面１５に吸着され、支持面１５上において安定した姿勢をとることができる。  
尚、媒体支持部１４と吸引機構部２０のより具体的な構成と動作については、後で説明する。
【００３５】
記録ヘッド１０の下流側（＋Ｙ方向）には、排出ローラー対１２が設けられている。本実施形態においては、排出ローラー対１２は、搬送ローラー対１１と共通の駆動源１９によって駆動されている。  
尚、駆動源１９は、給送ローラー４、分離ローラー対５、第１中間ローラー６、及び第２中間ローラー７のいずれか、或いは全部を駆動するように構成することができる。勿論、これらを駆動する他の駆動源を設けることも可能である。
【００３６】
記録ヘッド１０による記録後の用紙Ｐは、排出ローラー対１２に挟持（ニップ）されて、装置前面側に設けられる排紙トレイ１７に排出される。  
排出ローラー対１２も搬送ローラー対１１と同様に、正転及び逆転の双方に回転可能に構成されている。以下、排出ローラー対１２が用紙を＋Ｙ方向に搬送するときの回転方向（図１の紙面を正面視して反時計回り）を正転といい、用紙を−Ｙ方向に搬送するときの回転方向（図１の紙面を正面視して時計回り）を逆転という。
【００３７】
本実施形態において、搬送ローラー対１１及び排出ローラー対１２は、用紙Ｐを媒体支持部１４の支持面１５に押し付けつつ搬送する構成である。  
より具体的には、図２に示すように、搬送ローラー対１１の回転軸２３ａ、２３ｂの軸線方向、すなわち、Ｘ軸方向から見て、搬送ローラー対１１のニップ点Ｎ１における接線Ｅ１は、媒体支持部１４の支持面１５と交差する。また、排出ローラー対１２の回転軸２４ａ、２４ｂの軸線方向、すなわち、Ｘ軸方向から見て、排出ローラー対１２のニップ点Ｎ２における接線Ｅ２は、媒体支持部１４の支持面１５と交差する。
【００３８】
また、別の観点で言うと、搬送ローラー対１１及び排出ローラー対１２は、図２に示すように、搬送ローラー対１１を構成する搬送駆動ローラー１１ａと搬送従動ローラー１１ｂの双方の回転軸（回転軸２３ａと回転軸２３ｂ）を結んだ軸線Ｄ１と、排出ローラー対１２を構成する排出駆動ローラー１２ａと排出従動ローラー１２ｂの双方の回転軸（回転軸２４ａと回転軸２４ｂ）を結んだ軸線Ｄ２が、それぞれ媒体支持部１４側に傾くように設けられている。
【００３９】
この構成により、搬送ローラー対１１のニップ点Ｎ１と排出ローラー対１２のニップ点Ｎ２との間で、用紙Ｐが媒体支持部１４の支持面１５に押し付けられる（図２）。以って、支持面１５上で用紙Ｐが浮き上がることを抑制し、用紙Ｐが記録ヘッドに接触する虞を低減できる。  
特に、記録後の用紙Ｐは、記録面が外側、非記録面側が内側となるようにカールする場合がある。搬送ローラー対１１及び排出ローラー対１２が、用紙Ｐを媒体支持部１４の支持面１５に押し付けつつ搬送する構成であることにより、用紙Ｐに前記カールを矯正するような癖付け（デカール）を行うことができる。
【００４０】
また、プリンター１は、用紙Ｐの第１面への記録後に前記第１面に対し反対側の第２面に記録を行う両面記録が可能に構成されている。プリンター１は、逆転する搬送ローラー対１１により媒体搬送方向とは逆方向に搬送される用紙Ｐを受け入れて、用紙Ｐを反転させる「反転部」の一部を構成する、スイッチバック経路Ｒ（図１において一点鎖線で示す）を備えている。スイッチバック経路Ｒは、第２中間ローラー７と第１中間ローラー６の下方を通って、従動ローラー８ａの手前で用紙搬送経路Ｓに合流している
【００４１】
第１面（おもて面）への記録が終了した用紙は、後述する制御部１８が、記録ヘッド１０による記録領域Ｋ側から用紙Ｐをスイッチバック経路Ｒに送るバックフィード動作を行うことにより−Ｙ軸方向に送られて、スイッチバック経路Ｒを通り、再度第１中間ローラー６によって反転されつつ、用紙搬送経路Ｓを搬送されるように構成されている。前記バックフィード動作が行われる際、搬送ローラー対１１及び排出ローラー対１２が逆回転される。つまり、本実施形態においては、スイッチバック経路Ｒから用紙搬送経路Ｓに入り、第１中間ローラー６による搬送が行われて用紙が反転される経路が「反転部」である。  
用紙Ｐが反転されると、用紙Ｐは第２面（裏面）が上に向いた状態で記録ヘッド１０の下方に送られて、前記第２面への記録が行われる。
【００４２】
プリンター１において、記録に係わる動作は制御部１８によって制御されている。制御部１８は、例えば、用紙の搬送に係わる動作、すなわち搬送ローラー対１１等の各種ローラーの駆動や、吸引機構部２０の吸引動作、記録ヘッド１０によるインクの噴射、キャリッジ１３の移動等を制御する。  
制御部１８による用紙の搬送に係わる動作の制御と、吸引機構部２０の動作の制御については、以下において媒体支持部１４と吸引機構部２０の構成について説明した後に説明する。
【００４３】
■■■媒体支持部及び吸引機構部について■■■
以下、図２及び図３を参照して媒体支持部１４と吸引機構部２０について説明する。  
前述したように媒体支持部１４には、支持面１５に複数の吸引孔１６が設けられている。図３に示すように、複数の吸引孔１６は、媒体搬送方向（Ｙ方向）と媒体幅方向（Ｘ方向）に間隔を空けて支持面１５に設けられている。吸引孔１６は、媒体支持部１４の下方に設けられる吸引機構部２０（図２）に連通している。  
尚、図３において複数の吸引孔１６は、媒体搬送方向（Ｙ方向）と媒体幅方向（Ｘ方向）のそれぞれにおいて等間隔に設けられているが、例えば、媒体幅方向（Ｘ方向）における位置を、用紙の規格（Ａ４サイズ、Ｂ５サイズ等）に対応するように配してもよい。
【００４４】
吸引機構部２０は、本実施形態においては回転羽根２１を有する吸引ファンであり、回転羽根２１を回転させることにより、図２における矢印Ａ方向に向けて風が発生する。  
そして、吸引機構部２０を動作させると、複数の吸引孔１６に用紙Ｐを支持面１５に吸着させる吸引力が発生する。用紙Ｐは、媒体支持部１４の支持面１５に吸着されることにより、支持面１５上において浮き上がることが抑制され、安定した姿勢をとることができる。
【００４５】
吸引機構部２０はモーター等の駆動源２２（図１）により駆動され、駆動源２２を制御部１８が制御することにより、吸引機構部２０による吸引力を調整可能に構成されている。  
吸引機構部２０による吸引力の強弱は、本実施形態のように吸引機構部２０が吸引ファンである場合には、回転羽根２１の回転数を上げることにより吸引力を強め、回転羽根２１の回転数を下げることにより吸引力を弱めることができる。  
吸引機構部２０としては吸引ファンの他、例えば、吸引ポンプを用いることができる。吸引機構部２０が吸引ポンプである場合には、吸引ポンプの出力を上げることにより吸引力を強め、吸引ポンプの出力を下げることにより吸引力を弱めることができる。
【００４６】
また、媒体支持部１４には、一部の吸引孔１６を閉じる開閉機構（不図示）を設けることができる。複数の吸引孔１６は、プリンター１において記録可能な最大サイズの用紙（図３において用紙Ｐ１）の媒体幅方向（Ｘ方向）の端部を吸引できるように、支持面１５のほぼ全域に亘って設けられている。しかし、記録可能な最大サイズの用紙Ｐ１よりも小さいサイズの用紙Ｐ２を搬送する際には、図３に示すように、前記媒体幅方向の端部側の吸引孔１６ａ上には用紙Ｐ２がなく、開放状態になる。
【００４７】
開放状態の吸引孔１６ａがあると、空気を吸い込む音が騒音となる場合や、用紙Ｐ２の下に位置して用紙Ｐ２を吸引する吸引孔１６ｂにおける吸引力が下がる場合がある。  
このような場合に、前記開閉機構により不要な吸引孔１６ａを閉じることにより、吸引孔１６ａからの吸引に由来する騒音や吸引孔１６ｂの吸引力の低下を抑制できる。  
前記開閉機構は、すべての吸引孔１６を閉じることが可能に構成することもできる。
【００４８】
■■■制御部による制御について■■■
＜＜＜第１速度制御について＞＞＞
用紙Ｐに対する記録動作の完了後、次の動作を行うにあたり、記録面のインクが乾いていないと、以下のような不具合が生じる場合がある。  
例えば、複数枚の用紙に対して連続して記録を行う場合に、記録面のインクが乾いていない状態のまま排紙トレイ１７への排出を行うと、先に排出された用紙の記録面が、後から排出されて重ねられる後続の用紙によって擦られ、記録画像が乱れたり、前記後続の用紙にインクが付着して汚れたりする場合がある。  
また、両面記録を行う場合に、第１面のインクが乾いていない状態で反転させ、第２面への記録を行うと、前記第１面のインクが各種ローラーや媒体支持部１４等の構成部に付着し、前記第１面への記録画像が乱れることに加え、前記構成部に付着したインクで後続の用紙が汚れる虞がある。
【００４９】
これを抑制するため、制御部１８は、用紙Ｐへの記録後に、用紙Ｐの搬送速度を、記録面の乾燥時間をとる速度にする第１速度制御を実行可能に構成されている。  
用紙Ｐの搬送速度を「記録面の乾燥時間をとる速度にする」とは、具体的には、記録後に次の動作に移るまでの時間を長くとって前記記録面を乾燥させるため、通常の搬送速度（例えば記録時と等速）よりも低速にすることである（速度ゼロにする、すなわち停止させる場合も含む）。
【００５０】
本実施形態においては、記録のためのインクの噴射量が多く、記録面が乾きにくい状態である場合に、第１速度制御を実行する。  
具体的な例を挙げて説明すると、図４のフローチャートに示すように、制御部１８は、記録面へのインクの噴射量が閾値Ｔ１を超えるか否かを判断し（ステップＳ１）、閾値Ｔ１を超えた場合（ステップＳ１においてＹＥＳの場合）に、第１速度制御を実行する（ステップＳ２）。  
閾値Ｔ１を設定する前記インクの噴射量は、例えば、一枚の用紙に対する単位面積当たりのインク噴射量、一枚の用紙全体に対するインク噴射量、一枚の用紙のうちの所定領域におけるインク噴射量等を用いることができる。  
また、制御部１８がステップＳ１をスタートするタイミングは、記録が終了するタイミングの他、画像データから算出されるインク噴射量に基づいて、記録前でもよい。
【００５１】
ステップＳ１においてＮＯと判断される場合は、記録面へのインク噴射量が少なく、そのまま搬送して次の動作に移っても、その搬送中に記録面が乾くので、第１速度制御を行わず、つまり記録面の乾燥時間をとらずに前記次の動作を行うための所定位置に用紙を搬送する。  
例えば、両面記録を行う場合の第１面への記録後であれば、第２面の記録位置へ搬送し、両面記録の第２面への記録後、或いは片面記録後の場合は、排紙トレイへ搬送する。
【００５２】
ここで、前記第１速度制御を実行する場合、搬送速度は低速（停止も含む）であるため搬送ローラー対１１等の各種ローラーの駆動音が小さくなる。また記録を行っていないのでキャリッジ１３は停止しており、キャリッジ１３の移動音もない。そのため、吸引機構部２０の駆動音や振動、吸引孔１６から空気が吸引される音などが大きく目立ち、ユーザーに騒音や振動として不快感を与える場合がある。  
そこで、第１速度制御を実行する場合に、吸引機構部２０による吸引力を、媒体支持部１４の支持面１５に用紙Ｐが支持されているか否かに応じて制御する点が本発明の特徴である。以下において、制御部１８による、第１速度制御を実行する場合における吸引機構部２０の具体的な制御について説明する。
【００５３】
＜＜＜第１速度制御を実行する場合の吸引力制御＞＞＞
図５及び図６を参照して、第１速度制御を実行する場合の吸引機構部２０の制御について説明する。はじめに、図５及び図６の各図に示す用紙Ｐの搬送状態について説明する。  
図５の上図から下図までは、用紙Ｐへの記録を行う際の用紙搬送状態を示しており、用紙Ｐは＋Ｙ方向に搬送されている。図５の各図において、矢印Ｂは用紙搬送方向を示している。  
記録を行っている間、用紙Ｐは少なくとも一部が媒体支持部１４の支持面１５に支持されている。用紙Ｐの少なくとも一部が支持面１５に支持される図５の上図から下図までの状態を、以下において、用紙Ｐの「支持状態」と言う。これに対し、用紙Ｐが媒体支持部１４の支持面１５に支持されていない状態（例えば、図６の下図）を、以下において用紙Ｐの「非支持状態」という。
【００５４】
また、図５の上図から下図までの前記支持状態のうち、図５の上図では、用紙Ｐが搬送ローラー対１１にのみ挟持されている。また、図５の下図では、用紙Ｐが排出ローラー対１２にのみ挟持されている。  
このように、用紙Ｐが搬送ローラー対１１か排出ローラー対１２のいずれか一方によって挟持されている状態を、以下において「第１支持状態」という。  
一方、図５の中図のように、用紙Ｐが搬送ローラー対１１と排出ローラー対１２の双方に挟持されている状態を、以下において「第２支持状態」という。
【００５５】
図６は、用紙Ｐの第１面への記録（図５）を行った後、両面記録のために用紙Ｐをバックフィードして反転させる様子を示している。図６において用紙Ｐは−Ｙ方向に搬送されており、矢印Ｃは用紙の搬送方向を示している。  
図６の上図は、図５の下図の状態（第１支持状態）から前記バックフィード動作が実行され、用紙Ｐが搬送ローラー対１１と排出ローラー対１２の双方に挟持されている状態（第２支持状態）である。図６の中図は、図６の上図の状態から更に−Ｙ方向にバックフィードされて、用紙Ｐが搬送ローラー対１１にのみ挟持されている状態（第１支持状態）である。図６の下図において、用紙Ｐ（実線で示す）は、図６の中図の状態から更に−Ｙ方向にバックフィードされて、前記非支持状態になっている。尚、図６の下図において破線で示す用紙Ｐは、前記非支持状態にある用紙Ｐの搬送位置の他の例を示している。
【００５６】
ここで、両面記録を行う場合に、図５に示す用紙Ｐの流れで用紙Ｐの第１面への記録を行った後、制御部１８が、図４のフローチャートに従って前記第１速度制御を実行すると判断した場合、用紙Ｐが反転されて第２面を上にして記録ヘッド１０の記録領域Ｋ（図１）に送られるまでの間に、前記第１速度制御が実行される。  
つまり、図５の下図の状態から逆転搬送され、図６の上図から下図までの搬送状態を経て、第２面を上にして媒体支持部１４の支持面１５に支持される状態（例えば図５の上図）までの間、用紙Ｐの搬送速度が記録時よりも低速（停止される場合も含む）になる。
【００５７】
このとき、制御部１８は、用紙Ｐが支持面１５によって支持されていない非支持状態での吸引機構部２０の前記吸引力を、用紙Ｐの少なくとも一部が支持面１５によって支持されている支持状態での前記吸引力より弱くする。  
すなわち、用紙Ｐの第１面への記録後、用紙Ｐが図６の下図の状態にある場合の前記吸引力を、用紙Ｐが図５の下図の状態、図６の上図の状態、及び図６の中図の状態にある場合の吸引機構部２０の前記吸引力よりも弱くする。  
尚、用紙Ｐが前記支持状態である場合の吸引機構部２０の吸引力は、一例として記録時における前記吸引力と同程度にすることができる。また、記録時における前記吸引力以上にすることも可能である。
【００５８】
言い換えると、制御部１８は、両面記録のために前記バックフィード動作を実行する場合に、用紙Ｐの第１面に対する記録ヘッド１０からのインクの噴射量が所定の閾値Ｔ１以上である場合、前記吸引力を、用紙Ｐへの記録時における前記吸引力以上にして搬送ローラー対１１を逆転し（図６の上図、図６の中図）、用紙Ｐが前記搬送ローラー対１１による挟持から外れたら（図６の下図）、前記吸引力を用紙Ｐへの記録時における前記吸引力よりも弱くする。
【００５９】
このように吸引機構部２０の吸引力を制御することにより、以下の作用効果が得られる。すなわち、制御部１８は、前記第１速度制御を実行する場合に、用紙Ｐの前記非支持状態（図６の下図）での前記吸引力を、用紙Ｐの前記支持状態（図５の下図、図６の上図、図６の中図）での前記吸引力より弱くするので、用紙Ｐの記録面の乾燥のための待機中における、吸引機構部２０の動作に由来する振動や騒音を抑制することができる。加えて、吸引機構部２０を動作させることによる消費電力を低減することができる。
【００６０】
また、記録後の用紙Ｐは、記録面側がインクを吸収して膨張するため、記録面を外側、非記録面を内側にして湾曲する場合があるが、前記第１速度制御を実行する場合に、用紙Ｐが前記支持状態である場合には、前記非支持状態の場合よりも強い吸引力により用紙Ｐを吸引し、用紙Ｐが支持面１５から浮き上がることを抑制することができる。以って、用紙Ｐが支持面１５から浮き上がって記録ヘッド１０に接触したり、用紙浮きによって紙ジャムが発生したりする虞を低減できる。
【００６１】
また、用紙Ｐが前記非支持状態である場合の前記吸引力は、用紙Ｐが前記支持状態である場合の前記吸引力よりも弱ければよく、吸引力ゼロ、すなわち吸引機構部２０による吸引を停止することもできる。前記第１速度制御を実行する場合に、用紙Ｐが前記非支持状態である場合、制御部１８が吸引機構部２０による吸引を停止することにより、一層振動や騒音を抑制するとともに、消費電力の低減を図ることができる。
【００６２】
図７に、制御部１８が第１速度制御を実行する場合における、吸引機構部２０の吸引力の制御の流れを示す。  
第１速度制御（図４）をスタートさせると、制御部１８は、ステップＳ１１において、用紙Ｐの搬送位置が支持状態であるか否か（非支持状態であるか）を判断する。ステップＳ１１においてＹＥＳの場合、用紙Ｐは支持状態であるので、制御部１８は駆動源２２を制御して吸引機構部２０の吸引力を所定の吸引力（例えば記録時と同程度）に維持する。  
また、ステップＳ１１においてＮＯの場合、用紙Ｐは非支持状態であるので、制御部１８は駆動源２２を制御して吸引機構部２０の吸引力をステップＳ１２において制御する前記吸引力よりも弱める（ステップＳ１３）。
【００６３】
吸引機構部２０の吸引力の制御後、記録時よりも低速（停止も含む）で用紙を搬送する（ステップＳ１４）。低速の搬送或いは搬送の停止により、用紙の乾燥に十分な時間が経過したら（ステップＳ１５においてＹＥＳ）、第１速度制御を終了する。  
用紙の乾燥に十分な時間が経過しない（ステップＳ１５においてＮＯ）間は、ステップＳ１１に戻り、用紙Ｐが前記支持状態か前記非支持状態かに応じた前記吸引力の制御を行いつつ、第１速度制御を継続する。
【００６４】
尚、上記においては、両面記録を行う場合であって、第１面の記録後に用紙Ｐを反転する間に前記第１速度制御を実行する場合について説明したが、例えば、片面記録や両面記録の第２面の記録後においては、記録が終わった図５の下図の状態から排紙トレイ１７に排出されるまでの間に前記第１速度制御を行うことができる。
【００６５】
両面記録を行う際に、第１面の記録後に前記第１速度制御を実行する場合、用紙Ｐがスイッチバック経路Ｒ（図１）から用紙搬送経路Ｓに入り、第１中間ローラー６により反転されて第２面を上にして記録領域Ｋ（図１）に到達するまで、媒体支持部１４上に用紙Ｐが無い非支持状態となる。この非支持状態となる搬送距離、搬送時間は比較的長い。したがって、用紙Ｐが前記非支持状態となる間に前記吸引力を弱くすることにより、吸引機構部２０の動作由来の振動や騒音の抑制を効果的に実現できる。  
尚、記録後の用紙Ｐをそのまま排紙トレイ１７に排出可能な片面記録や両面記録の第２面の記録後に、用紙Ｐを反転させつつ前記第１速度制御を行って記録面を乾燥させた後、記録ヘッド１０の下方を記録動作を行わずに通過させ、排紙トレイ１７に排出してもよい。
【００６６】
また、図７に示すフローチャートを用いて説明した第１速度制御では、用紙Ｐが前記支持状態であるときの前記吸引力を、記録時と同程度に維持する（図７においてステップＳ１２）としたが、以下のような場合には、前記支持状態での前記吸引力（ステップＳ１２において制御する吸引力）について、前記第１速度制御を実行する場合における前記吸引力を、用紙Ｐへの記録時における前記吸引力よりも弱くすることができる。  
すなわち、用紙Ｐに対する記録ヘッド１０からのインクの噴射量が所定の閾値Ｔ２未満（閾値Ｔ２は、第１速度制御を実行するか否かを決める閾値Ｔ１よりも大きい値である）である場合に、制御部１８は、ステップＳ１２（図７）において制御する前記吸引力を、用紙Ｐへの記録時における前記吸引力よりも弱くする。
【００６７】
用紙Ｐに対する記録ヘッド１０からのインクの噴射量が所定の閾値Ｔ２未満である場合、用紙Ｐにインクが吸収されて膨張することにより生じる、記録面が外側になるような用紙Ｐのカールは少なくなる。カールが少なければ用紙Ｐの浮き上がりも少ないので、弱い吸引力で支持面１５に用紙Ｐを吸着することができる。  
したがって、用紙Ｐへのインクの噴射量が所定の閾値Ｔ２未満であり、記録後の用紙Ｐのカールが少なくなる場合に、図７のステップＳ１２における前記吸引力を、用紙Ｐへの記録時における前記吸引力よりも弱くすることにより、前記第１速度制御を実行する場合における吸引機構部２０の動作由来の振動や騒音を一層抑制することができる。また、吸引機構部２０を動作させることによる消費電力も更に低減することができる。
【００６８】
［第２実施形態］
本実施形態では、制御部１８が、第１速度制御を実行する場合の吸引機構部２０の吸引力制御の他の例について説明する。  
第１実施形態において説明した様に、前記支持状態には、用紙Ｐが搬送ローラー対１１及び排出ローラー対１２のいずれか一方によって挟持されている第１支持状態（図５の上図、図５下図）と、用紙Ｐが搬送ローラー対１１及び排出ローラー対１２の双方によって挟持されている第２支持状態（図５の中図、図６の上図）と、がある。  
制御部１８は、用紙Ｐの前記支持状態のうち、前記第１支持状態であるか前記第２支持状態であるかに応じて吸引機構部２０の吸引力を変える制御を行うことができる。
【００６９】
＜＜＜第１支持状態の場合＞＞＞
より具体的には、制御部１８は、前記第１支持状態での前記吸引力を、前記第２支持状態での前記吸引力より強くする。  
用紙Ｐが前記第１支持状態である場合、用紙Ｐの一方側の端部が支持面１５上において自由端となるため、用紙Ｐが浮き上がり易い。  
制御部１８が、前記第１支持状態での前記吸引力を、前記第２支持状態での前記吸引力より強くすることにより、用紙Ｐの支持面１５上における浮き上がりを、より確実に抑制できる。  
尚、本構成（第１支持状態での吸引力＞第２支持状態での吸引力）は、第１速度制御を実行する場合に限られず、記録時にも適用できる。
【００７０】
＜＜＜第２支持状態の場合＞＞＞
更に、制御部１８は、前記第２支持状態での前記吸引力について、前記第１速度制御を実行する場合における前記吸引力を、用紙Ｐへの記録時における前記吸引力よりも弱くする制御を行うことができる。
【００７１】
前記第２支持状態は、搬送ローラー対１１及び排出ローラー対１２の双方によって挟持されている。本実施形態においては、搬送ローラー対１１及び排出ローラー対１２のそれぞれが、挟持した用紙Ｐを媒体支持部１４の支持面１５に押し付けるように構成されているので、前記第２支持状態は、用紙Ｐが支持面１５上で浮き上り難い構成である。  
このため、前記第２支持状態での前記吸引力をある程度弱くしても、用紙浮きが生じる虞は少ない。
【００７２】
制御部１８が、前記第２支持状態での前記吸引力について、前記第１速度制御を実行する場合における前記吸引力を、用紙Ｐへの記録時における前記吸引力よりも弱くする制御を行うことにより、吸引機構部２０の動作由来の振動や騒音を抑制するとともに、消費電力を低減することができる。
【符号の説明】
【００７３】
１…インクジェットプリンター（記録装置）、２…筐体、３…用紙トレイ、
４…給送ローラー、５…分離ローラー対、６…第１中間ローラー、
７…第２中間ローラー、８ａ、８ｂ…従動ローラー、９ａ、９ｂ…従動ローラー、
１０…記録ヘッド、１１…搬送ローラー対、１２…排出ローラー対、
１３…キャリッジ、１４…媒体支持部、１５…支持面、１６…吸引孔、
１７…排紙トレイ、１８…制御部、１９…駆動源、２０…吸引機構部、
２１…回転羽根、２２…駆動源、２３ａ、２３ｂ…回転軸、
２４ａ、２４ｂ…回転軸、Ｐ、Ｐ１、Ｐ２…用紙
【図１】
2019025738.tif 000003
【図２】
2019025738.tif 000004
【図３】
2019025738.tif 000005
【図４】
2019025738.tif 000006
【図５】
2019025738.tif 000007
【図６】
2019025738.tif 000008
【図７】
2019025738.tif 000009